(57)【要約】【課題】無線アクセス装置間の接続関係を自動的に登録すること。【解決手段】通信システム１は、自装置の自装置ＭＡＣアドレスと、有線接続された隣接装置の隣接装置ＭＡＣアドレスを保有可能な無線アクセス装置１１〜１４と、監視装置２０を備える。監視装置２０は、接続関係にある無線アクセス装置の各識別情報と、接続関係を示す接続種別情報を記憶する隣接データベース４０３と、無線アクセス装置間で形成されるセクション情報を記憶するセクションデータベース４０４を有し、隣接データベース４０３の接続種別情報に基づき当該無線アクセス装置間の接続関係が有線接続である場合に、接続関係にある無線アクセス装置の一方から自装置ＭＡＣアドレスを取得し、他方から隣接装置ＭＡＣアドレスを取得して一致した場合に、当該無線アクセス装置の有線端点間で有線接続が形成されていることをセクションデータベース４０４に格納する。【選択図】図１
2014033299.tif 000002
【特許請求の範囲】
【請求項１】
自装置における有線端点である自装置ＭＡＣアドレスと、有線接続された隣接装置における有線端点である隣接装置ＭＡＣアドレスを保有可能な複数の無線アクセス装置と、
前記複数の無線アクセス装置の接続状態を監視する監視装置を備えた通信システムであって、
前記監視装置は、
接続関係にある二つの無線アクセス装置それぞれの識別情報と、当該接続関係が有線接続か無線接続かを示す接続種別情報を関連付けて記憶する隣接データベースと、
前記複数の無線アクセス装置間で形成されているセクション情報を記憶するセクションデータベースを有し、
前記隣接データベースに記憶された前記接続種別情報に基づいて接続関係が有線接続か無線接続かを判定した結果当該接続関係が有線接続である場合に、その接続関係にある無線アクセス装置の一方から前記自装置ＭＡＣアドレスを取得し、かつ、他方から前記隣接装置ＭＡＣアドレスを取得して、それら自装置ＭＡＣアドレスと前記隣接装置ＭＡＣアドレスを比較し、両者が一致した場合に、当該無線アクセス装置の有線端点間で有効な有線接続が形成されていることを前記セクションデータベースに格納する通信システム。
【請求項２】
前記監視装置は、前記隣接データベースに記憶された前記接続種別情報が無線接続である場合に、接続関係にある二つの無線アクセス装置それぞれの装置識別情報に基づいて、それらの相互の無線端点間で有効な無線接続が形成されていることを前記セクションデータベースに格納する請求項１に記載の通信システム。
【請求項３】
前記セクションデータベースは、形成されているセクションごとに、ラベル名と、第１の無線アクセス装置の端点名と、第２の無線アクセス装置の端点名とを記憶する請求項１又は請求項２に記載の通信システム。
【請求項４】
前記セクションデータベースは、
形成されている前記セクションが、有線セクションであるか無線セクションであるかを、前記ラベル名に基づいて判定可能であるようラベル名を生成する請求項３に記載の通信システム。
【請求項５】
前記通信システムは、無線ネットワークを介して通信を行う通信装置を更に備える、
請求項１〜４いずれかに記載の通信システム。
【請求項６】
自装置における有線端点である自装置ＭＡＣアドレスと、有線接続された隣接装置における有線端点である隣接装置ＭＡＣアドレスを保有可能な複数の無線アクセス装置の接続状態を監視する監視装置であって、
接続関係にある二つの無線アクセス装置それぞれの識別情報と、当該接続関係が有線接続か無線接続かを示す接続種別情報を関連付けて記憶する隣接データベースと、
前記複数の無線アクセス装置間で形成されているセクション情報を記憶するセクションデータベースを有し、
前記隣接データベースに記憶された前記接続種別情報に基づいて接続関係が有線接続か無線接続かを判定した結果当該接続関係が有線接続である場合に、その接続関係にある無線アクセス装置の一方から前記自装置ＭＡＣアドレスを取得し、かつ、他方から前記隣接装置ＭＡＣアドレスを取得して、それら自装置ＭＡＣアドレスと前記隣接装置ＭＡＣアドレスを比較し、両者が一致した場合に、当該無線アクセス装置の有線端点間で有効な有線接続が形成されていることを前記セクションデータベースに格納する監視装置。
【請求項７】
複数の無線アクセス装置間の接続関係が有線接続か無線接続かを判定するステップと、
有線接続と判定された二つの無線アクセス装置の一方から、自装置における有線端点である自装置ＭＡＣアドレスを取得するステップと、
有線接続にある無線アクセス装置の他方から、有線接続された隣接装置における有線端点である隣接装置ＭＡＣアドレスを取得するステップと、
それら自装置ＭＡＣアドレスと前記隣接装置ＭＡＣアドレスを比較するステップと、
比較の結果、両者が一致した場合に、当該無線アクセス装置の有線端点間で有効な有線接続が形成されていることを登録するステップと、を備える回線情報の自動登録方法。
【発明の詳細な説明】
【技術分野】
【０００１】
本発明は、通信システム、監視装置、及び回線情報の自動登録方法に関する。
【背景技術】
【０００２】
近年、無線技術を用いた通信が広く用いられている。
【０００３】
無線ネットワークにおいて、複数の無線アクセス装置は、二台で一組となり相互で無線通信を行う無線回線を形成する。
【０００４】
また、無線アクセス装置および回線を監視する監視装置（以下、ＮＭＳ: Network Management System）が無線ネットワークに配置される。この時、ＮＭＳはセクションやEnd-Endの通信回線であるパスを単位に、ネットワークの管理を実施する。
【０００５】
ＮＭＳでセクションを監視する場合には、オペレータが手動でセクション情報を登録することが一般的である。このため無線アクセス装置が多数ある場合、セクション登録に時間がかかる問題や登録が洩れる問題が発生していた。そのため、セクション情報を自動で入力する方法が提案されている。
【０００６】
特許文献１には、フェージングにより一部無線区間が一時的に不通となっている場合であっても、監視装置に監視対象として登録されない無線アクセス装置が生じることを防ぐ、無線通信システムが開示されている。これによると、無線アクセス装置はＤＣＮ（Data Communications Network）回線を利用して、隣接する無線アクセス装置を検出することができる。したがって、ＮＭＳは、隣接しあう無線アクセス装置の検出結果に基づいて、各無線アクセス装置のＩＰアドレスを登録することができる。
【０００７】
特許文献２には、マイクロ波無線通信システムについて開示されている。これによると、無線装置にＩＰアドレスを自動的に付与することにより、ＩＰアドレスの割当作業を行う保守員の作業効率化を図ることができる。
【０００８】
特許文献３には、情報速度や変調形式を指定可能な無線回線を複数提供する通信システムにおいて、簡単な入力操作により希望の無線回線の適切な割り当てを可能とする無線システム監視制御装置が開示されている。
【先行技術文献】
【特許文献】
【０００９】
【特許文献１】特開２０１０−１７８１３９号公報
【特許文献２】特開２００７−１６６３２５号公報
【特許文献３】特開２００３−１１６１６８号公報
【発明の概要】
【発明が解決しようとする課題】
【００１０】
しかしながら、複数の無線アクセス装置を用いる通信システムにおいて、無線アクセス装置同士の接続として、有線接続と無線接続が混在する場合がある。図１２は、有線接続と無線接続が混在している例であり、さらに有線接続において、ユーザーデータ（ＳＤＨやＥｔｈｅｒｎｅｔ（登録商標）フレーム）を送受する主回線と、管理用の信号(主にＥｔｈｅｒｎｅｔ)を転送するＤＣＮ回線のように、物理的に回線を２本に分離させた状態を示している。このように、無線アクセス装置間の通信において、２種類以上の有線接続及び無線接続が混在する場合には、通信の開始前に、あらかじめ無線アクセス装置間の接続情報を登録する必要がある。しかしながら、通信システムの構成が変更された場合には接続情報の再設定が必要であり、また手動での設定では設定誤りが発生する可能性があるため、装置間の接続関係を自動的に検出し、登録するシステムが望まれていた。
【課題を解決するための手段】
【００１１】
本発明にかかる通信システムは、自装置における有線端点である自装置ＭＡＣアドレスと、有線接続された隣接装置における有線端点である隣接装置ＭＡＣアドレスを保有可能な複数の無線アクセス装置と、前記複数の無線アクセス装置の接続状態を監視する監視装置を備えた通信システムであって、前記監視装置は、接続関係にある二つの無線アクセス装置それぞれの識別情報と、当該接続関係が有線接続か無線接続かを示す接続種別情報を関連付けて記憶する隣接データベースと、前記複数の無線アクセス装置間で形成されているセクション情報を記憶するセクションデータベースを有し、前記隣接データベースに記憶された前記接続種別情報に基づいて接続関係が有線接続か無線接続かを判定した結果当該接続関係が有線接続である場合に、その接続関係にある無線アクセス装置の一方から前記自装置ＭＡＣアドレスを取得し、かつ、他方から前記隣接装置ＭＡＣアドレスを取得して、それら自装置ＭＡＣアドレスと前記隣接装置ＭＡＣアドレスを比較し、両者が一致した場合に、当該無線アクセス装置の有線端点間で有効な有線接続が形成されていることを前記セクションデータベースに格納する。
【００１２】
また、本発明にかかる監視装置は、自装置における有線端点である自装置ＭＡＣアドレスと、有線接続された隣接装置における有線端点である隣接装置ＭＡＣアドレスを保有可能な複数の無線アクセス装置の接続状態を監視する監視装置であって、接続関係にある二つの無線アクセス装置それぞれの識別情報と、当該接続関係が有線接続か無線接続かを示す接続種別情報を関連付けて記憶する隣接データベースと、前記複数の無線アクセス装置間で形成されているセクション情報を記憶するセクションデータベースを有し、前記隣接データベースに記憶された前記接続種別情報に基づいて接続関係が有線接続か無線接続かを判定した結果当該接続関係が有線接続である場合に、その接続関係にある無線アクセス装置の一方から前記自装置ＭＡＣアドレスを取得し、かつ、他方から前記隣接装置ＭＡＣアドレスを取得して、それら自装置ＭＡＣアドレスと前記隣接装置ＭＡＣアドレスを比較し、両者が一致した場合に、当該無線アクセス装置の有線端点間で有効な有線接続が形成されていることを前記セクションデータベースに格納する。
【００１３】
また、本発明にかかる回線情報の自動登録方法は、複数の無線アクセス装置間の接続関係が有線接続か無線接続かを判定するステップと、有線接続と判定された二つの無線アクセス装置の一方から、自装置における有線端点である自装置ＭＡＣアドレスを取得するステップと、有線接続にある無線アクセス装置の他方から、有線接続された隣接装置における有線端点である隣接装置ＭＡＣアドレスを取得するステップと、それら自装置ＭＡＣアドレスと前記隣接装置ＭＡＣアドレスを比較するステップと、比較の結果、両者が一致した場合に、当該無線アクセス装置の有線端点間で有効な有線接続が形成されていることを登録するステップと、を備える。
【発明の効果】
【００１４】
無線アクセス装置間の接続関係を、自動的に登録することができる。
【図面の簡単な説明】
【００１５】
【図１】実施の形態１にかかる通信システム１の構成を示す図である。
【図２】実施の形態１にかかる無線アクセス装置の構成図である。
【図３】実施の形態１にかかるＮＭＳの構成図である。
【図４】実施の形態１にかかる隣接ＤＢで保持するデータを示す図である。
【図５】実施の形態１にかかるセクションＤＢで保持するデータを示す図である。
【図６】実施の形態１にかかる表示部における表示内容を示す図である。
【図７】実施の形態１にかかる動作のフローを示す図である。
【図８】実施の形態１にかかる動作シーケンスを示す図である。
【図９】実施の形態１にかかる無線アクセス装置のＩＰアドレスと端点の情報を示す図である。
【図１０】実施の形態１にかかるＥｔｈｅｒｎｅｔ制御部情報を示す図である。
【図１１】実施の形態２にかかる通信システム２の構成を示す図である。
【図１２】関連する無線アクセス装置間の接続関係を示した図である。
【発明を実施するための形態】
【００１６】
実施の形態１
以下、図面を参照して本発明の実施の形態について説明する。
【００１７】
図１は、通信システム１の構成を示した図である。通信システム１は、無線アクセス装置１１、１２、１３、１４、ＥＭＳ(Element Management system)／ＮＭＳ装置２０（以下、ＮＭＳ２０）、及び、通信装置２１、２２を備える。以下では、図１の通信システム１の構成を参照して詳細な説明を行う。
【００１８】
無線アクセス装置１１、１２、１３、１４は、無線通信機能を有する装置である。
【００１９】
無線アクセス装置１１は、Ｅｔｈｅｒ１１１と、Ｒａｄｉｏ１１２を有する。Ｅｔｈｅｒ１１１は、無線アクセス装置１１の有線端点である。Ｒａｄｉｏ１１２は、無線アクセス装置１１の無線端点である。無線アクセス装置１１は、Ｅｔｈｅｒ１１１を用いてＮＭＳ２０との間で有線通信を行う。また無線アクセス装置１１は、Ｅｔｈｅｒ１１１を用いて通信装置２１との間で有線通信を行う。さらに、無線アクセス装置１１は、Ｒａｄｉｏ１１２を用いて無線アクセス装置１２との間で無線通信を行う。
【００２０】
無線アクセス装置１２は、Ｅｔｈｅｒ１２１と、Ｒａｄｉｏ１２２を有する。Ｅｔｈｅｒ１２１は、無線アクセス装置１２の有線端点である。Ｒａｄｉｏ１２２は、無線アクセス装置１２の無線端点である。
無線アクセス装置１２は、Ｒａｄｉｏ１２２を用いて無線アクセス装置１１との間で無線通信を行う。また、無線アクセス装置１２は、Ｅｔｈｅｒ１２１を用いて無線アクセス装置１３との間において有線通信を行う。
【００２１】
無線アクセス装置１３は、Ｅｔｈｅｒ１３１と、Ｒａｄｉｏ１３２と、を有する。Ｅｔｈｅｒ１３１は、無線アクセス装置１３の有線端点である。Ｒａｄｉｏ１３２は、無線アクセス装置１３の無線端点である。
無線アクセス装置１３は、Ｅｔｈｅｒ１３１を用いて無線アクセス装置１２との間において有線通信を行う。また、無線アクセス装置１３は、Ｒａｄｉｏ１３２を用いて無線アクセス装置１４との間で無線通信を行う。
【００２２】
無線アクセス装置１４は、Ｅｔｈｅｒ１４１と、Ｒａｄｉｏ１４２と、を有する。Ｅｔｈｅｒ１４１は、無線アクセス装置１４の有線端点である。Ｒａｄｉｏ１４２は、無線アクセス装置１４の無線端点である。
無線アクセス装置１４は、Ｒａｄｉｏ１４２を用いて無線アクセス装置１３との間で無線通信を行う。また、無線アクセス装置１４は、Ｅｔｈｅｒ１４１を用いて通信装置２２との間において有線通信を行う。
【００２３】
図２は、無線アクセス装置１１の詳細な構成を示した図である。無線アクセス装置１１は、変調器３０１と、復調器３０２と、受信機３０３と、送信機３０４と、アンテナ３０５と、エージェント部３０６と、分波器３０７と、変復調制御部３０８と、入力子３０９と、出力子３１０と、Ｅｔｈｅｒｎｅｔ制御部３１１を備える。なお、無線アクセス装置１２、１３、１４の構成は、無線アクセス装置１１と同様である。
【００２４】
変調器３０１は、信号の変調を行う。より具体的には、変調器３０１は、入力子３０９から入力された信号を変調し、送信機３０４に出力する。変調器３０１は、エージェント部３０６及び変復調制御部３０８により制御され、動作を行う。
【００２５】
復調器３０２は、信号の復調を行う。より具体的には、復調器３０２は、受信機３０３から入力された信号を復調し、出力子３１０に出力する。復調器３０２は、エージェント部３０６及び変復調制御部３０８により制御され、動作を行う。
【００２６】
受信機３０３は、分波器３０７により分波された信号を入力し、受信処理を実行する。受信機３０３は、入力された信号を復調器３０２に出力する。
【００２７】
送信機３０４は、変調器３０１から出力された信号を入力し、分波器３０７に出力する。典型的には送信機３０４は、入力された信号を増幅して、分波器３０７に送信する。
【００２８】
アンテナ３０５は、他の無線アクセス装置との電波の送受信を行う。アンテナ３０５は、分波器３０７と接続している。
【００２９】
変復調制御部３０８は、変調器３０１と復調器３０２の動作を制御する。典型的には、変復調制御部３０８は、伝送路の状態に応じて変調方式を変化させるよう、変調器３０１と復調器３０２の動作を制御する。
【００３０】
入力子３０９は、無線アクセス装置１１と外部機器とのインターフェースである。入力子３０９は、主回線から伝送された信号を無線アクセス装置１１に入力する。具体的には、主回線から入力子３０９に入力された信号は、変調器３０１に出力される。入力子３０９は、Ｅｔｈｅｒｎｅｔの規格に準拠している。
【００３１】
出力子３１０は、無線アクセス装置１１と外部機器とのインターフェースである。出力子３１０は、無線アクセス装置１１から主回線に信号を伝送する。具体的には、復調器３０２から出力された信号は、出力子３１０を介して主回線に出力される。出力子３１０は、Ｅｔｈｅｒｎｅｔの規格に準拠している。
【００３２】
Ｅｔｈｅｒｎｅｔ制御部３１１は、自装置及び対向装置のＭＡＣアドレス(Media Access Control address)を保持し、Ｅｔｈｅｒｎｅｔの制御を行う制御装置である。
【００３３】
ＮＭＳ２０は、無線アクセス装置１１等を監視する監視装置である。図３は、ＮＭＳ２０の詳細な構成を示す図である。ＮＭＳ２０は、制御部４０１と、通信部４０２と、隣接ＤＢ４０３と、セクションＤＢ４０４と、キャッシュメモリ４０５と、表示部４０６を備える。
【００３４】
制御部４０１は、無線アクセス装置１１〜１４を制御するための制御信号を生成する。
【００３５】
通信部４０２は、無線アクセス装置と通信を行う。例えば通信部４０２は、Simple Network Management Protocolのようなプロトコルを利用することで、通信を行う。
【００３６】
隣接ＤＢ４０３は、無線アクセス装置１１〜１４の隣接情報を保持する。図４は、隣接ＤＢ４０３で保持されるデータの一例である。隣接ＤＢ４０３は、管理ＩＤ、無線アクセス装置のＩＰアドレス、隣接ＩＰアドレス、隣接種別の情報を保持する。ここで隣接種別として記憶される情報とは、無線アクセス装置と隣接する無線アクセス装置等の接続が、有線接続であるか無線接続であるかの情報である。
【００３７】
セクションＤＢ４０４は、主回線の接続情報を保持する。図５は、セクションＤＢ４０４に保持されるデータの一例である。セクションＤＢ４０４は、装置間の接続関係を示すセクション情報として、セクションＩＤ、ラベル、第１の端点、第２の端点の情報を保持する。なお典型的には、セクションＤＢ４０４は、初期状態では空である。
【００３８】
キャッシュメモリ４０５は、無線ネットワーク上の無線アクセス装置１１〜１４の装置番号、ＩＰアドレス、有線端点、無線端点の情報を保持する。なお典型的には、キャッシュメモリ４０５は、初期状態では空である。
【００３９】
表示部４０６は、オペレータに対してセクション情報を表示する。図６は、表示部４０６に表示される表示内容の一例である。表示部４０６は、画面上にマップウィンドウ４０９を表示し、マップウィンドウ４０９内に監視対象となる無線アクセス装置１１〜１４と、物理的な接続を示す有線セクション４０７と、無線セクション４０８を表示する。ここで有線セクション４０７とは、無線アクセス装置間において、有線接続により接続が確立しているセクションである。無線セクション４０８とは、無線アクセス装置間において無線接続により接続が確立しているセクションである。
【００４０】
通信装置２１、２２は、無線ネットワークを介して通信を行う通信装置である。
【００４１】
次に、通信システム１の動作について説明する。図７は通信システム１の動作のフローであり、図８は通信システム１の動作のシーケンス図である。ここで、あらかじめＮＭＳ２０は、ＮＭＳ２０に備えられた検出機能を用いて無線アクセス装置１１〜１４の情報を取得し、図４に示した隣接ＤＢ４０３に登録してあるものとする。また図１０は、無線アクセス装置１１〜１４のＥｔｈｅｒｎｅｔ制御部３１１が、あらかじめ有するＥｔｈｅｒｎｅｔ制御部情報である。Ｅｔｈｅｒｎｅｔ制御部情報については後に詳述する。
【００４２】
ＮＭＳ２０は、図４の隣接ＤＢ４０３における、先頭の行を選択する（ステップＳ１）。
【００４３】
ＮＭＳ２０は、隣接ＤＢ４０３において選択中の行が、最終行であるか否かを確認する（ステップＳ２）。最終行に達していれば（ステップＳ２でＹｅｓ）、ステップＳ１５に進み、処理を終了する。最終行に達していなければ（ステップＳ２でＮｏ）、ステップＳ３に進む。
【００４４】
ＮＭＳ２０は、選択中の行の情報を読み取り、ＩＰアドレス、隣接ＩＰアドレス、隣接種別を読み出す（ステップＳ３）。以下では、隣接ＤＢ４０３において選択中の行が先頭の行であるものとして説明する。ＮＭＳ２０は、のＩＰアドレスとして172.18.0.1、隣接する無線アクセス装置の隣接ＩＰアドレスとして172.18.0.2、接続種別として「無線」を読み出す。
【００４５】
ＮＭＳ２０は、隣接ＤＢ４０３において選択中の行に記録されているＩＰアドレスに基づいて、注目する無線アクセス装置（以下、第１のアクセス装置）と、注目する無線アクセス装置に隣接する無線アクセス装置（以下、第２のアクセス装置）から、有線端点名と無線端点名を取得する（ステップＳ４）。図９は、ステップＳ４によりＮＭＳ２０が取得する、装置名称、ＩＰアドレス、有線端点名、無線端点名の例である。なお、初期状態に置いて図９のＩＰアドレス表は何も記録されていない状態である。より具体的には、第１の無線アクセス装置は無線アクセス装置１１であるので、ＮＭＳ２０は、装置番号１１と、ＩＰアドレスの172.18.0.1と、無線アクセス装置１１の有線端点のＥｈｔｅｒ１１１と、無線端点のＲａｄｉｏ１１２を取得する。さらに、第２の無線アクセス装置は無線アクセス装置１２であるので、ＮＭＳ２０は、装置番号１２と、ＩＰアドレスの172.18.0.2と、有線端点のＥｈｔｅｒ１２１と、無線端点のＲａｄｉｏ１２２を取得する。ＮＭＳ２０は、図９に示したＩＰアドレス表をキャッシュメモリ４０５に一時的に記憶する。
【００４６】
ＮＭＳ２０は、第１の無線アクセス装置の隣接種別が有線であるか、無線であるかを判定する（ステップＳ５）。隣接種別が無線であれば（ステップＳ５でＮｏ）、ステップＳ６に進む。隣接種別が有線であれば（ステップＳ５でＹｅｓ）、ステップＳ１１に進む。
【００４７】
ここで、隣接種別が無線である場合（ステップＳ５でＮｏ）の場合について説明する。
【００４８】
ＮＭＳ２０は、セクションＤＢ４０４に、接続種別に応じた端点名と、自動生成したラベルを設定する（ステップＳ６）。なお、セクションＤＢ４０４は、初期状態では何も記録されていない状態である。
ここでＮＭＳ２０は、隣接ＤＢ４０３に記録された情報に基づき、２台の無線アクセス装置間の接続種別が無線であると判っている場合には、特許文献１に示されている手順により、無線アクセス装置間の隣接を検出してそれぞれのＩＰアドレスを確認することで、２台の無線アクセス装置間において無線セクションが確立していることを確定することができる。この場合、第１の無線アクセス装置が無線アクセス装置１１の場合には、接続種別が無線であるので、セクションＩＤとして１と、ラベル名Ａｉｒ１と、第１の端点として無線アクセス装置１１の無線端点Ｒａｄｉｏ１１２と、第２の端点として無線アクセス装置１２の無線端点Ｒａｄｉｏ１２２を記録する。ここでラベル名は、後に無線アクセス装置１１と無線アクセス装置１２が無線セクションを形成していることがわかる名称であればよい。なお、セクションＤＢ４０４に記録を行う際に、セクションＤＢ４０４に登録予定のデータの端点名のペアと、同じ端点名のペアのデータがすでに登録されている場合には、上書きを実行する。
【００４９】
ＮＭＳ２０は、隣接ＤＢ４０３において、現在選択中の行の選択を解除し、次の行を選択する（ステップＳ７）。例えばＮＭＳ２０は、隣接ＤＢ４０３において、管理ＩＤが１として記録されている行の選択を解除し、管理ＩＤが２として記録されている行を選択する。その後、ステップＳ２に戻る。
【００５０】
次に、隣接種別が有線（ステップＳ５でＹｅｓ）である場合について説明する。なお、以下では、ＮＭＳ２０は隣接ＤＢ４０３において、管理ＩＤが２として記録されている行を選択しており、ステップＳ３においてＮＭＳ２０は、ＩＰアドレスが172.18.0.2、隣接ＩＰアドレスが171.18.0.3、隣接種別が無線であるものを第１の無線アクセス装置として呼び出したものとして説明する。
【００５１】
ＮＭＳ２０は、注目するＩＰアドレスを有する第１の無線アクセス装置から、対向有線端点のＭＡＣアドレスを取得する（ステップＳ１１）。ここで図１０は、無線アクセス装置の電源投入時にループ構成を避ける過程で、スパニングツリープロトコル（Spanning Tree ProtocolもしくはRapid Spanning Tree Protocol）を用いて、あらかじめ無線アクセス装置１１〜１４が取得したＥｔｈｅｒｎｅｔ制御部情報である。ＮＭＳ２０は、Ｅｔｈｅｒｎｅｔ制御部情報を、注目するＩＰアドレス172.18.0.2を有する第１の無線アクセス装置から取得し、取得したＥｔｈｅｒｎｅｔ制御部情報から、第２の無線アクセス装置の対向有線端点のＭＡＣアドレス（00.00.4c.00.00.03）を抽出する。
【００５２】
ＮＭＳ２０は、第２の無線アクセス装置から、有線端点のＭＡＣアドレスを取得する（ステップＳ１２）。言い換えると、ＮＭＳ２０は、隣接ＤＢ４０３に記録された隣接ＩＰアドレス172.18.0.3に基づいて、第２の無線アクセス装置である無線アクセス装置１３からＥｔｈｅｒｎｅｔ制御部情報を取得し、無線アクセス装置１３の有線端点のＭＡＣアドレス（00.00.4c.00.00.03）を抽出する。
【００５３】
ＮＭＳ２０は、ステップＳ１１において無線アクセス装置から取得した対向有線端点のＭＡＣアドレスと、ステップＳ１２において対向する無線アクセス装置から取得した有線端点のＭＡＣアドレスとを比較する（ステップＳ１３）。言い換えると、無線アクセス装置１２から取得した対向有線端点のＭＡＣアドレス（00.00.4c.00.00.03）と、無線アクセス装置１３の有線端点のＭＡＣアドレス（00.00.4c.00.00.03）とを比較する。なおステップＳ１１〜ステップＳ１３においてＭＡＣアドレスを用いるのは、ＭＡＣアドレスが各Ｅｔｈｅｒｎｅｔカードに割り振られた固有のＩＤ番号であるため、ＭＡＣアドレスの比較をすることで、同一の有線端点であるか否かを容易に判別できるためである。
ＭＡＣアドレスが一致した場合には、ステップＳ６に進む。ＭＡＣアドレスが一致しない場合には、ステップＳ７に進む。
【００５４】
ここでステップＳ１３からステップＳ６の遷移では、具体的には、接続種別が有線であるので、セクションＩＤとして２と、ラベル名Ｂａｃｋ−Ｂａｃｋと、第１の端点として無線アクセス装置１２の有線端点Ｅｔｈｅｒ１２１と、第２の端点として無線アクセス装置１３の有線端点Ｅｔｈｅｒ１３１を記録する。ここでラベル名は、後に無線アクセス装置１２と無線アクセス装置１３が有線セクションを形成していることがわかる名称であればよい。なお、セクションＤＢ４０４に記録を行う際に、セクションＤＢ４０４に登録予定のデータの端点名のペアと、同じ端点名のペアのデータがすでに登録されている場合には、上書きを実行する。
【００５５】
したがって、隣接ＤＢ４０３に記憶されている全ての行についての処理を実行することにより、ＮＭＳ２０は、図５に示したセクションＤＢ４０４の表を完成することができる。これにより、装置間における無線及び有線の接続が多数ある場合であっても、ＮＭＳ２０にセクション情報を登録することができる。
【００５６】
このとき、ＮＭＳ２０へのセクション情報の登録時間の短縮を図るとともに、ＮＭＳ２０への登録誤りを防止することができる。さらに、無線アクセス装置の追加などの構成変更時に、セクション情報の再登録時間を短縮することができる。
【００５７】
実施の形態２．
図１１は、通信システム２の構成を示した図である。通信システム２は、無線アクセス装置１１、１２、１３、１４、１５、１６と、ＮＭＳ２０を備える。なお、無線アクセス装置１５、１６は、無線アクセス装置１１、１２、１３、１４と同様の構成を有する。通信システム２は、実施の形態１で示した通信システム１が構成された状態から、新たに無線アクセス装置１５、１６が追加された状態である。
【００５８】
無線アクセス装置１５は、Ｅｔｈｅｒ１５１と、Ｒａｄｉｏ１５２を有する。Ｅｔｈｅｒ１５１は、無線アクセス装置１５の有線端点である。Ｒａｄｉｏ１５２は、無線アクセス装置１５の無線端点である。無線アクセス装置１５は、Ｅｔｈｅｒ１５１を用いて無線アクセス装置１４との間において有線通信を行う。また、無線アクセス装置１５は、Ｒａｄｉｏ１５２を用いて無線アクセス装置１６との間で無線通信を行う。
なお、無線アクセス装置１４は、Ｅｔｈｅｒ１４１を用いて無線アクセス装置１５と通信を行う。
【００５９】
無線アクセス装置１６は、Ｅｔｈｅｒ１６１と、Ｒａｄｉｏ１６２を有する。Ｅｔｈｅｒ１６１は、無線アクセス装置１６の有線端点である。Ｒａｄｉｏ１６２は、無線アクセス装置１６の無線端点である。無線アクセス装置１６は、Ｒａｄｉｏ１６２を用いて無線アクセス装置１５との間で無線通信を行う。
【００６０】
次に、通信システム２の動作について説明する。ＮＭＳ２０は、あらかじめ隣接ＤＢ４０３について、すでに登録されている情報の更新を行う。更新により、例えば隣接ＤＢ４０３には、管理ＩＤが４のデータについて、隣接ＩＰアドレスや隣接種別が追加される。
またＮＭＳ２０は、隣接ＤＢ４０３に、新規に追加した無線アクセス装置１５、１６に対応するよう管理ＩＤを追加し、ＩＰアドレス、隣接ＩＰアドレス、隣接種別の情報を追加する。
【００６１】
また無線アクセス装置１５、１６では、電源投入時に、Ｅｔｈｅｒｎｅｔ制御部３１１においてＥｔｈｅｒｎｅｔ制御部情報を生成する。
【００６２】
通信システム２は、ステップＳ１から動作を開始し、隣接ＤＢ４０３に記憶された全ての行について実行されるまで処理を繰り返す。
【００６３】
これにより、ネットワークを部分的に拡張した場合であっても、同様の手順でセクションＤＢ４０４の内容を更新することができる。したがって、コストの削減を図ることができる。
【００６４】
なお、本発明は上記実施の形態に限られたものではなく、趣旨を逸脱しない範囲で適宜変更することが可能である。例えば、無線アクセス装置や通信装置の個数は、実施の形態１及び実施の形態２で示した個数に限られない。
【符号の説明】
【００６５】
１    通信システム
２    通信システム
１１〜１６    無線アクセス装置
２０    ＮＭＳ装置
２１、２２    通信装置
３０１    変調器
３０２    復調器
３０３    受信機
３０４    送信機
３０５    アンテナ
３０６    エージェント部
３０７    分波器
３０８    変復調制御部
３０９    入力子
３１０    出力子
３１１    Ｅｔｈｅｒｎｅｔ制御部
４０１    制御部
４０２    通信部
４０３    隣接データベース
４０４    セクションデータベース
４０５    キャッシュメモリ
４０６    表示部
４０７    有線セクション
４０８    無線セクション
４０９    マップウィンドウ
【図１】
2014033299.tif 000003
【図２】
2014033299.tif 000004
【図３】
2014033299.tif 000005
【図４】
2014033299.tif 000006
【図５】
2014033299.tif 000007
【図６】
2014033299.tif 000008
【図７】
2014033299.tif 000009
【図８】
2014033299.tif 000010
【図９】
2014033299.tif 000011
【図１０】
2014033299.tif 000012
【図１１】
2014033299.tif 000013
【図１２】
2014033299.tif 000014